(57)【要約】【課題】開閉カバーを簡単迅速に開閉することができる開閉機構および照明器具を提供する。【解決手段】本体ケースと；本体ケースに固定された弾性を有するワイヤー１２と；本体ケースに回動可能に取り付けられた開閉カバー４と；開閉カバーの開閉端部に回転可能かつ軸方向変位可能に挿通された小径軸部１４ａ、この小径軸部の外端側に一体に連成された頭部１４ｂ、小径軸部の内端側に一体に連成された軸部１４ｃ、この軸部の先端面で開口し頭部の内方への押し込みにより被係止部材に係脱可能に係合する溝開口部１５ａ、この溝開口部に連通するように軸部に軸方向に湾曲形成され頭部の回動により溝開口部に係合された被係止部材を開閉カバー側へ弾性的に変位させる係合溝１５およびこの係合溝の終端部に形成されたワイヤーとの係合状態を係脱可能に保持する溝段部１５ｃとを有するロックピン１４と；を具備している。【選択図】  図１
2010073660.tif 000002
【特許請求の範囲】
【請求項１】
本体ケースと；
本体ケースに固定された弾性を有する被係止部材と；
本体ケースに回動可能に取り付けられた開閉カバーと；
開閉カバーの開閉端部に回転可能かつ軸方向変位可能に挿通された小径軸部、この小径軸部の外端側に一体に連成された頭部、小径軸部の内端側に一体に連成された軸部、この軸部の先端面で開口し頭部の内方への押し込みにより被係止部材に係脱可能に係合する溝開口部、この溝開口部に連通するように軸部に軸方向に湾曲形成され頭部の回動により溝開口部に係合された被係止部材を開閉カバー側へ弾性的に変位させる係合溝およびこの係合溝の終端部に形成された被係止部との係合状態を係脱可能に保持する係合段部とを有する係止部材と；
を具備していることを特徴とする開閉機構。
【請求項２】
光源を収容する光源収容部およびこの光源からの光を外部へ投光する投光開口を有する本体ケースと；
本体ケースに回動可能に取り付けられた開閉カバーと；
開閉カバーの開閉端部に回転可能かつ軸方向変位可能に挿通された小径軸部、この小径軸部の外端側に一体に連成された頭部、小径軸部の内端側に一体に連成された軸部、この軸部の先端面で開口し頭部の内方への押し込みにより被係止部材に係脱可能に係合する溝開口部、この溝開口部に連通するように軸部に軸方向に湾曲形成され頭部の回動により溝開口部に係合された被係止部材を開閉カバー側へ弾性的に変位させる係合溝およびこの係合溝の終端部に形成されて被係止部との係合状態を係脱可能に保持する係合段部とを有する係止部材と；
具備していることを特徴とする照明器具。
【発明の詳細な説明】
【技術分野】
【０００１】
本発明は、街路灯や道路灯等に適用される開閉機構およびこれを具備した照明器具に関する。
【背景技術】
【０００２】
従来から、照明器具本体内に、ランプとその点灯装置を内蔵し、器具本体の投光開口端に透光性カバーを開閉可能に取り付けた開閉機構および照明器具が知られている（例えば、特許文献１参照）。
【特許文献１】特開２００４−１１１２８４号公報
【発明の開示】
【発明が解決しようとする課題】
【０００３】
しかしながら、このような従来の照明器具では、透光性カバーの開放端を複数の止めねじにより固定しているので、この透光性カバーを開扉させる場合には、まず、これら複数の止めねじを一つ一つ手作業で取り外さねばならず、逆に閉扉する場合もこれら止めねじを一つ一つ締め付けねばならず、その開閉作業が煩雑で時間がかかるという課題がある。
【０００４】
しかも、この照明器具がポール等に取り付けられて街路灯等に構成される場合には、その止めねじの取外し、取付け作業が高所での作業になるので、開閉作業の作業性は一層悪化する。
【０００５】
さらに、透光性カバーを器具本体の下側に位置させて取り付けた街路灯の場合には、止めねじを取り外すと重力により直ちに落下する虞が高くなるので、この止めねじの取外し作業自体も非常に煩雑である。
【０００６】
このために、透光性カバーは器具本体の上側に位置させてポール等に取り付けねばならないが、その場合には、開閉可能の透光性カバー側で降雨を受けるので、雨水が溜り易く、防水性を向上させる必要がある。
【０００７】
本発明は、このような事情を考慮してなされたもので、開閉カバーを簡単迅速に開閉することができる開閉機構および照明器具を提供することを目的とする。
【課題を解決するための手段】
【０００８】
請求項１記載の開閉機構は、本体ケースと；本体ケースに固定された弾性を有する被係止部材と；本体ケースに回動可能に取り付けられた開閉カバーと；開閉カバーの開閉端部に回転可能かつ軸方向変位可能に挿通された小径軸部、この小径軸部の外端側に一体に連成された頭部、小径軸部の内端側に一体に連成された軸部、この軸部の先端面で開口し頭部の内方への押し込みにより被係止部材に係脱可能に係合する溝開口部、この溝開口部に連通するように軸部に軸方向に湾曲形成され頭部の回動により溝開口部に係合された被係止部材を開閉カバー側へ弾性的に変位させる係合溝およびこの係合溝の終端部に形成された被係止部との係合状態を係脱可能に保持する係合段部とを有する係止部材と；を具備していることを特徴とする。
【０００９】
請求項２記載の照明器具は、光源を収容する光源収容部およびこの光源からの光を外部へ投光する投光開口を有する本体ケースと；本体ケースに回動可能に取り付けられた開閉カバーと；開閉カバーの開閉端部に回転可能かつ軸方向変位可能に挿通された小径軸部、この小径軸部の外端側に一体に連成された頭部、小径軸部の内端側に一体に連成された軸部、この軸部の先端面で開口し頭部の内方への押し込みにより被係止部材に係脱可能に係合する溝開口部、この溝開口部に連通するように軸部に軸方向に湾曲形成され頭部の回動により溝開口部に係合された被係止部材を開閉カバー側へ弾性的に変位させる係合溝およびこの係合溝の終端部に形成されて被係止部との係合状態を係脱可能に保持する係合段部とを有する係止部材と；具備していることを特徴とする。
【００１０】
上記発明において、開閉機構の被係止部材は、例えば弾性を有するばね材を加工したものが好適であり、その両端を本体ケースに固定してもよい。
【００１１】
また、係止部材は、例えば、丸皿等の頭部に軸部を一体に連成した金属製のリベット状部材からなり、頭部直下の軸部に、開閉カバーの挿通孔に遊嵌する凹状段部を形成して小径軸部を形成し、挿通孔からの抜脱防止可能に挿通孔に取り付けられている。
【００１２】
そして、この係止部材を本体側に押し込みつつ軸心回りに所要角回動させると、この係止部材の先端の溝開口端内に被係止部材の一部が係合する。ここで、係止部材をさらに軸心回りに回動させると、この被係止部材が係合溝に沿って開閉カバー側へ変位するように弾性変形し、係合段部に落ち込む。すると、これ以上の係止部材の回動が強制的に停止される。これにより、開閉カバーが本体ケース側に弾性的に密着した状態で閉扉され、その閉扉状態が保持される。
【００１３】
一方、このような開閉カバーの閉扉状態で、係止部材を上記閉扉方向と逆方向に所要角回動させると、係止部材の係合溝に係合していた被係止部材が係合溝の係合段部を乗り越えて係合が解除され、さらに、被係止部材がその弾性復元力により係合溝に沿って溝開口端側へ変位し、この溝開口端から外部へ排出されて係合が解除される。これにより、開閉カバーと本体ケースとの閉扉保持状態が解除されるので、開閉カバーが開扉可能になる。
【００１４】
なお、開閉カバーの開閉端部に挿通孔を設け、この挿通孔にはと目を固着すれば、挿通孔内で係止部材を頻繁に回動させても、挿通孔の損耗をはと目により低減することができる。
【発明の効果】
【００１５】
請求項１記載の発明によれば、開閉カバーに取り付けられた係止部材を、単に、所要方向に所要角度回動させることにより、開閉カバーの閉扉状態をロック（保持）する一方、係止部材をその反対方向へ単に所要角度回動させることにより、そのロック状態を解除することができる。すなわち、係止部材の回動方向に応じて開閉カバーの閉扉状態を簡単迅速にロックする一方、そのロックを解除することができる。
【００１６】
請求項２記載の発明によれば、照明器具の開閉カバーの開閉機構として請求項１または２記載の開閉機構を具備しているので、この開閉カバーの閉扉状態を簡単迅速にロックする一方、そのロック状態を解除することができる。
【発明を実施するための最良の形態】
【００１７】
以下、本発明の実施形態を添付図面に基づいて説明する。複数の添付図面中、同一または相当部分には同一符号を付している。
【００１８】
図１（Ａ）は本発明の一実施形態の要部の係合前の状態を示す模式図、同図（Ｂ）は同係合後の状態を示す模式図、図２は本発明の第１の実施形態に係る照明器具１をほぼ平面から見たときの概略平面図、図３は図２のＩＩＩ−ＩＩＩ線断面図、図４は同概略外観側面図である。
【００１９】
図２〜図４に示すように照明器具１は、左右配光タイプであり、先細形状の本体ケース２と、この本体ケース２の先端部２ａの底面（図２，図３では下面）に、例えば２個のヒンジ３，３により揺動可能に取り付けられた透光性のカバー４と、を具備している。
【００２０】
本体ケース２は、その底面形状が矩形であり、その長手方向一端部（図１〜図３では右端部）２ｂを、ほぼ垂直に所定長立ち上がる垂直壁に形成し、この垂直壁の外面に取付部材の一例である取付金具５を固定して取付端部に形成している。この取付金具５は、図示しない地面上に立設されるポールの上部やアーム等に図２に示すようにカバー４を下に向けた状態で取り付けられる。
【００２１】
本体ケース２は、その上面２ｃを、取付端部２ｂから先方（図１〜図３では左方向）へ向けて若干外方へ膨出してから漸次細くなる湾曲面により先細形状に形成している。
【００２２】
本体ケース２は、その内部に、ランプ収容室６を形成する一方、その図２中右側の取付端部２ｂ側に、点灯装置７を収容する点灯装置収容室８を形成している。
【００２３】
ランプ収容室６は、その内部に、前方配光用ミラー９を配設している。前方配光用ミラー９は、アルミニウム製平板の内面をエンボス加工により、反射面に形成すると共に、ケース本体２の先細方向前方、すなわち前方へ配光するように形成している。
【００２４】
前方配光用ミラー９は、その底面を開口９ａさせる一方、ミラー本体９ｃを本体ケース２の取付端部２ｂ側から先端部２ａ側へ向けて漸次細くなる湾曲面により先細形状に形成する一方、その幅方向で対向する一対の側面９ｂ，９ｂを平面により形成している。
【００２５】
これら両側面９ｂ，９ｂの一方には、その後部にてランプソケット１０の軸方向中間部を板厚方向に貫通させた状態で固着している。ランプソケット１０の内端部には、光源の一例であるセラミックメタルハライドランプ１１をその口金のねじ込み等により装着し、ランプソケット１０の外端部には図示省略のリード線を介して点灯装置７の出力端に電気的に接続している。このために、セラミックメタルハライドランプ１１の光軸は前方配光用ミラー９の幅方向にほぼ平行に配設されている。
【００２６】
図５は本体ケース２の底面の平面図である。図５に示すように本体ケース２は、ヒンジ３の反対側端部（図５では右端部）であって、開閉カバー４の開閉端部に対応する取付端部２ｂの図中上部角部と下部角部とに、弾性を有する被係止部材である上下一対のワイヤー１２，１２の両端部を固定している。
【００２７】
図７（Ａ）に示すように各ワイヤー１２は、その全体が弾性を有する金属製ばね線材により丸棒状に形成され、軸方向中間部の軸部１２ａの両端部１２ｂ，１２ｃを所要径の渦巻状に形成している。これら各渦巻状端部１２ｂ，１２ｃは、その外周部が軸部１２ａとほぼ同一平面上に形成され、渦巻中心部に行くに従って（すなわち、図７（Ａ）の図面表面側に向けて）漸次高くなる円錐台状に形成されている。
【００２８】
そして、図５に示すようにこれら各ワイヤー１２は、その各渦巻端部１２ｂ，１２ｃの渦巻中心に、止めねじ１３の軸部をそれぞれ挿通して本体ケース２の取付端部２ｂ側底面にそれぞれ固定している。
【００２９】
一方、開閉カバー４は、本体ケース２の底面よりも若干小さい矩形平板によりカバー本体を形成し、このカバー本体に、左右配光用ミラー９の投光開口９ａに適合した大きさと形状の開口を形成し、この開口にガラスやプラスチックス製等の透光性プレート４ａを嵌合し、開閉カバー４の内面外周縁部には、そのほぼ全長に亘って図示省略のパッキンを貼着し、このパッキンを介して本体ケース２の底面に水密に密着させるように形成されている。
【００３０】
そして、開閉カバー４は、その開閉端部側に、上記ワイヤー１２，１２の固定位置にそれぞれ適合する箇所にて係止部材の一例である図中上下一対のロックピン１４，１４をそれぞれ取り付け、ラッチ（係止）機構の一部を構成している。
【００３１】
図１（Ａ），（Ｂ）に示すように、各ロックピン１４は、常に開閉カバー４の挿通孔４ｂ内に挿通されている小径軸部１４ａを有し、この小径軸部１４ａの軸方向両端部に、挿通孔４ｂよりも大径の頭部１４ｂと中空の大径軸部１４ｃとをそれぞれ一体に連成している。小径軸部１４ａは、その外径が開閉カバー４に穿設された板厚方向に貫通する挿通孔４ｂよりも小径に形成されており、遊びを持って挿通孔４ｂ内に挿通されている。このために、小径軸部１４ａは挿通孔４ｂ内で軸心回りに回転可能かつ軸方向に若干変位可能に構成されている。
【００３２】
頭部１４ｂは挿通孔４ｂよりも大径に形成されており、丸皿状等所要形状に形成され、その頂端面には、プラスまたはマイナスのドライバの軸先端部が嵌入される嵌合溝１４ｃが形成されている。
【００３３】
大径軸部１４ｃは挿通孔４ｂよりも大径に形成されている。したがって、各ロックピン１４は、挿通孔４ｂの内外両側を、この挿通孔４ｂよりも大径の頭部１４ｂと大径端部１４ｃとにより軸方向に遊びを持って挟持しているので、挿通孔４ｂからの脱落が防止され、常に挿通孔４ｂに装着されている。また、大径軸部１４ｃはワイヤー１２に係合する湾曲状の係合溝１５が軸方向に形成されている。
【００３４】
図６（Ａ），（Ｂ），（Ｃ）に示すように、係合溝１５は大径軸部１４ｃの先端面に外方に開口する溝開口部１５ａを形成している。溝開口部１５ａは大径軸部１４ｃの直径方向に形成され、その溝幅を、丸棒状のワイヤー１２の軸部１２ａの直径よりも若干大きく形成されており、ワイヤー１２と係脱可能に係合するようになっている。また、溝開口端１５ａは、その開口端縁を外方に湾曲面で拡開するテーパ状のガイド面に形成し、大径軸部１４ｃの先端面が丸棒状のワイヤー１２上に当接したときに、溝開口端１５ａをワイヤー１２側へ案内し得るようになっている。
【００３５】
係合溝１５は、その溝開口端１５ａに連通する湾曲摺動溝部１５ｂを大径軸部１４に形成しており、この湾曲摺動溝部１５ｂの終端部には、溝開口部１５ａ側（図１（Ａ）では下方）へ若干屈曲する溝段部１５ｃを形成し、この溝段部１５ｃへ侵入したワイヤー１２がこの溝段部１５ｃでロックし、そのロック状態が保持されるようになっている。この溝段部１５ｃは、湾曲摺動溝部１５ｂにより溝開口１５ｃから周方向に所要角度ずれた位置に形成されている。なお、図７中、符号１６はプラスチックス製等のワッシャであり、図１中符号１７は挿通孔４ｂ内に固着された金属製等のはと目である。
【００３６】
次に、開閉カバー１４の閉扉状態をロックする方法について説明する。
【００３７】
まず、開閉カバー１４の閉扉状態をロックする場合は、図２に示すように開閉カバー４を本体ケース２の底面上に被せて閉扉した後、開閉カバー４に装着されている各ロックピン１４の頭部１４ｂの嵌入溝１４ｃに図示しないドライバの軸先端部を嵌入させて、この頭部１４ｂを内方へ若干押し込む。すると、このロックピン１４の先端面がワイヤー１２の軸部１２ａに当接する。そこで、頭部１４ｂをその軸心回りに回動させると、ロックピン１４の先端の溝開口部１５ａがワイヤー１２の軸部１２ａとほぼ一致したところで、この軸部１２ａが溝開口部１５ａ内に嵌入する。このために、ロックピン１４は内方（図１（Ａ）中下方）へ若干落ち込むので、その嵌入を認識することができる。
【００３８】
そこで、図１（Ｂ）に示すように、さらに頭部１４ｂを同一方向に所要角度回動させると、ワイヤー軸部１２ａがロックピン１４の湾曲摺動溝部１５ｂ内を摺動してワイヤー１２の弾性力に抗して図中上方へ案内されて変位され、係合段部１５ｃ内に侵入したときに、ワイヤー軸部１２ａの変位状態が保持される。このとき、ワイヤー軸部１２ａの両端部１２ｂ，１２ｃはケース本体２に固定されているので、その変位分、このケース本体２を相対的に開閉カバー４側へ弾性的に変位させる。すなわち、開閉カバー４をワイヤー１２の弾性復元力により本体ケース２に弾性的に強固に密着させた状態で閉扉状態をロックすることができる。
【００３９】
一方、このような閉扉状態の開閉カバー４のロックを解除する場合は、各ロックピン１４の頭部１４ｂを単にロック方向とは逆方向に所要角度回動させる。
【００４０】
すると、ロックピン１４の係合段部１５ｃに係合されているワイヤー軸部１２ａが、その弾性復元力により係合段部１５ｃ上を摺動して乗り越え、湾曲摺動溝部１５ｂを摺動して溝開口部１５ａに至り、大径軸部１４ｃのさらなる回動によりワイヤー軸部１２ａが溝開口部１５ａからその外部へ押し出され、ワイヤー軸部１２ａと係合溝１５との係合が解除される。これにより、再び開閉カバー４の閉扉状態のロックが解除され、開扉可能になる。
【００４１】
したがって、この開閉機構１によれば、ロックピン１４の単なる回動方向により開閉カバー４の閉扉状態を本体ケース２にロックする一方、そのロック状態を解除することができる。このために、この開閉カバー４の閉扉状態を簡単迅速にロックする一方、そのロックを解除することができ、これらの作業性を向上させることができる。また、各ロックピン１４は開閉カバー４の各挿通孔４ｂ内に抜脱を防止した状態で常に装着されているので、各ロックピン１４の回動操作中に落下することを未然に防止することができ、これら作業の安全性を向上させることができる。
【図面の簡単な説明】
【００４２】
【図１】（Ａ）は本発明の一実施形態の要部の係合前の状態を示す模式図、（Ｂ）は同係合後の状態を示す模式図。
【図２】本発明の第１の実施形態に係る照明器具の概略平面図。
【図３】図２のＩＩＩ−ＩＩＩ線断面図。
【図４】図２，図３で示す照明器具の外観側面図。
【図５】図２，図３で示す照明器具の本体ケースの底面図。
【図６】（Ａ）は図１で示すロックピンの正面図、（Ｂ）は同ロックピンの側面図、（Ｃ）は同ロックピンの底面図。
【図７】（Ａ）は図５で示すワイヤーの斜視図、（Ｂ）は図６で示すロックピンにワッシャを嵌合した場合の底面図。
【符号の説明】
【００４３】
１，１Ａ…照明器具、２…本体ケース、２ａ…本体ケースの先端部、２ｂ…本体ケースの取付端部、３…ヒンジ、４…開閉カバー、４ｂ…開閉カバーの挿通孔、５…取付金具、６…ランプ収容室、７…点灯装置、８…点灯装置収容室、９…前方配光用ミラー、９ａ…前方配光用ミラーの底部開口端、１０…ランプソケット、１１…セラミックメタルハライドランプ、１２…ワイヤー（被係止部材）、１４…ロックピン（係止部材）、１４ａ…ロックピンの小径軸部、１４ｂ…ロックピンの頭部、１４ｃ…ロックピンの大径軸部、１５…係合溝、１５ａ…係合溝の開口部、１５ｂ…係合溝の湾曲摺動溝部、１５ｃ…係合溝の溝段部、１６…ワッシャ、１７…はと目。
【図１】
2010073660.tif 000003
【図２】
2010073660.tif 000004
【図３】
2010073660.tif 000005
【図４】
2010073660.tif 000006
【図５】
2010073660.tif 000007
【図６】
2010073660.tif 000008
【図７】
2010073660.tif 000009